(57)【特許請求の範囲】
【請求項１】
端子を収容する端子収容室が設けられたハウジング本体と前記端子の長手方向に沿った切欠溝が設けられた筒状のシュラウドとを有するコネクタハウジングと、
前記コネクタハウジングを収容するハウジングカバーと、を備えたコネクタにおいて、
前記シュラウドに設けられた切欠溝内に挿入されて当該切欠溝の互いに対向する一対の内側面に各々当接して前記切欠溝の溝幅が縮まる方向に変形するのを防止する一対の当接片が、前記ハウジングカバーの内側面に設けられ、
前記シュラウドに設けられた切欠溝の互いに対向する一対の内側面の前記長手方向後端には、先端に向かうに従って前記一対の内側面間の距離が狭くなるテーパが設けられている
ことを特徴とするコネクタ。
【請求項２】
前記シュラウドの外側面及び前記ハウジングカバーの内側面のうち一方には、前記長手方向に沿った嵌合溝が設けられ、
他方には、前記嵌合溝と嵌合する嵌合突起が設けられたことを特徴とする請求項１に記載のコネクタ。
【請求項３】
前記シュラウド及び前記ハウジングカバーの各々には、前記長手方向上に並んだ状態で互いに係止する係止手段が設けられていることを特徴とする請求項１又は２に記載のコネクタ。
【請求項４】
前記シュラウドは、前記ハウジング本体を収容し、かつ当該長手方向先端が前記ハウジング本体の前記長手方向先端よりも先端側に位置するように設けられたことを特徴とする請求項１〜３何れか１項に記載のコネクタ。
【発明の詳細な説明】
【技術分野】
【０００１】
本発明は、コネクタに係り、特に、端子収容室が設けられたコネクタハウジングと、このコネクタハウジングを収容するハウジングカバーとを有するコネクタに関するものである。
【背景技術】
【０００２】
上述した従来のコネクタとして図９及び図１０に示すような半嵌合防止コネクタが知られている（特許文献１）。同図に示すように、半嵌合防止コネクタは、端子収容室が設けられた雌コネクタハウジング２０と、この雌コネクタハウジング２０を収容するハウジングカバーとしての半嵌合検知部材３０とから構成されている。
【０００３】
この半嵌合検知部材３０は、雌コネクタハウジング２０とこれに嵌合する雄コネクタハウジング（図示せず）とを完全嵌合させないと、雌コネクタハウジング２０が半嵌合検知部材３０の先端開口から突出する初期位置から雌コネクタハウジング２０全体が半嵌合検知部材３０内に収容される嵌合検知位置にスライドできないようになっている。雌コネクタハウジング２０が初期位置にあるか嵌合検知位置にあるかによって、雄コネクタハウジングと完全嵌合しているか半嵌合しているかを判断することができる。
【０００４】
上記雌コネクタハウジング２０は、略円筒形状を成すハウジング本体２１を備えており、ハウジング本体２１内に雌端子を収容保持する端子収容室２１１が形成されている。ハウジング本体２１には、雌端子の長手方向Ｙ１先端側よりオーリング２５を介してフロントホルダ２６が装着される。
【０００５】
ハウジング本体２１の長手方向Ｙ１後端側の外側面には、２対のガイド突起２７が突設されている。半嵌合検知部材３０の内周面には、雌コネクタハウジング２０のガイド突起２７、２７に対応したガイド受３５，３５が形成されている。ガイド受３５、３５には、ガイド突起２７、２７が挿入されるため、雌コネクタハウジング２０及び半嵌合検知部材３０の相互のスライド移動が位置ずれすることなく円滑に行なわれる。
【特許文献１】特開２００４−２２０９７０号公報
【発明の開示】
【発明が解決しようとする課題】
【０００６】
しかしながら、上述した従来技術では、雄コネクタハウジングが挿入される関係上、上述したガイド突起２７は嵌合時に雄コネクタハウジング先端が位置する最深部Ｆよりも後端の外側面にしか形成できず、半嵌合検知部材３０と組み付けた際に雌コネクタハウジングの先端部にがたつきが発生する。このため、嵌合フィーリングの低下と嵌合時のコジリ・ドツキ・逆嵌合が発生し易い構造となっていた。
【０００７】
そこで、本発明は、上記のような問題点に着目し、コネクタハウジングと、ハウジングカバーとのガタを抑え、接続信頼性、組み付け性の向上を図ったコネクタを提供することを課題とする。
【課題を解決するための手段】
【０００８】
上記課題を解決するためになされた請求項１記載の発明は、端子を収容する端子収容室が設けられたハウジング本体と前記端子の長手方向に沿った切欠溝が設けられた筒状のシュラウドとを有するコネクタハウジングと、前記コネクタハウジングを収容するハウジングカバーと、を備えたコネクタにおいて、前記シュラウドに設けられた切欠溝内に挿入されて当該切欠溝の互いに対向する一対の内側面に各々当接して前記切欠溝の溝幅が縮まる方向に変形するのを防止する一対の当接片が、前記ハウジングカバーの内側面に設けられ、前記シュラウドに設けられた切欠溝の互いに対向する一対の内側面の前記長手方向後端には、先端に向かうに従って前記一対の内側面間の距離が狭くなるテーパが設けられていることを特徴とするコネクタに存する。
【０００９】
請求項１記載の発明によれば、コネクタハウジングが、端子を収容する端子収容室が設けられたハウジング本体と端子の長手方向に沿った切欠溝が設けられた筒状のシュラウドとを有する。また、シュラウドに設けられた切欠溝に挿入されてその切欠溝の互いに対向する一対の内側面に各々当接して切欠溝の溝幅が縮まる方向に変形するのを防止する一対の当接片が、ハウジングカバーの内側面に設けられている。
【００１０】
従って、シュラウドがハウジングカバーの一対の当接片に対して切欠溝の溝幅が縮まる方向の力を加えるのに対して、ハウジングカバーの内側面に設けられた一対の当接片がシュラウドに対して切欠溝の溝幅が縮まらない方向（溝幅を拡げる方向）の力を加える。シュラウドとハウジングカバーの当接片との間に作用する力によりコネクタハウジングとハウジングカバーとの間のガタを抑えることができる。しかも、一対の当接片によって切欠溝が縮まる方向にシュラウドが変形するのを防止するため、シュラウドに相手コネクタハウジングを挿入する際、シュラウドと相手コネクタハウジングとが干渉し、嵌合作業が困難になることを防止する。
【００１４】
また、請求項１記載の発明によれば、シュラウドに設けられた切欠溝の互いに対向する一対の内側面の長手方向後端には、先端に向かうに従って一対の内側面間の距離が狭くなるテーパが設けられている。従って、一対の内側面にテーパを設けることにより、ハウジングカバーの先端開口からコネクタハウジングの後端を挿入する際にハウジングカバーの当接片がテーパによって内側面に案内され、確実に当接させることができる。
【００１５】
請求項２記載の発明は、前記シュラウドの外側面及び前記ハウジングカバーの内側面のうち一方には、前記長手方向に沿った嵌合溝が設けられ、他方には、前記嵌合溝と嵌合する嵌合突起が設けられたことを特徴とする請求項１に記載のコネクタに存する。
【００１６】
請求項２記載の発明によれば、シュラウドの外側面及び前記ハウジングカバーの内側面のうち一方には、長手方向に沿った嵌合溝が設けられる。他方には、嵌合溝と嵌合する嵌合突起が設けられる。従って、嵌合溝と嵌合突起とが嵌合することにより、長手方向及び嵌合突起の突起方向の両方向に対して垂直方向のガタを規制することができる。
【００１７】
請求項３記載の発明は、前記シュラウド及び前記ハウジングカバーの各々には、前記長手方向上に並んだ状態で互いに係止する係止手段が設けられていることを特徴とする請求項１又は２に記載のコネクタに存する。
【００１８】
請求項３記載の発明によれば、シュラウド及びハウジングカバーの各々には、長手方向上に並んだ状態で互いに係止する係止突起が設けられている。従って、係止手段が長手方向上に並んだ状態で互いに係止することにより、長手方向のガタを規制することができる。
【００１９】
請求項４記載の発明は、前記シュラウドは、前記ハウジング本体を収容し、かつ当該長手方向先端が前記ハウジング本体の前記長手方向先端よりも先端側に位置するように設けられたことを特徴とする請求項１〜３何れか１項に記載のコネクタに存する。
【００２０】
請求項４記載の発明によれば、シュラウドは、ハウジング本体を収容しかつ、長手方向先端がハウジング本体の長手方向先端よりも先端側に位置するように設けられる。従って、長手方向全体に亘ってコネクタハウジングとハウジングカバーとのガタを防止することができる。
【発明の効果】
【００２１】
以上説明したように請求項１記載の発明によれば、シュラウドがハウジングカバーの一対の当接片に対して切欠溝の溝幅が縮まる方向の力を加えるのに対して、ハウジングカバーの内側面に設けられた一対の当接片がシュラウドに対して切欠溝の溝幅が縮まらない方向（溝幅を拡げる方向）の力を加える。シュラウドとハウジングカバーの当接片との間に作用する力によりコネクタハウジングとハウジングカバーとの間のガタを抑えることができる。しかも、一対の当接片によって切欠溝が縮まる方向にシュラウドが変形するのを防止するため、シュラウドに相手コネクタハウジングを挿入する際、シュラウドと相手コネクタハウジングとが干渉し、嵌合作業が困難になることを防止するので、接続信頼性、組み付け性の向上を図ることができる。
【００２３】
しかも、請求項１記載の発明によれば、一対の内側面にテーパを設けることにより、ハウジングカバーの先端開口からコネクタハウジングの後端を挿入する際にハウジングカバーの当接片がテーパによって内側面に案内され、確実に当接させることができるので、より一層の接続信頼性、組み付け性の向上を図ることができる。
【００２４】
請求項２記載の発明によれば、嵌合溝と嵌合突起とが嵌合することにより、長手方向及び嵌合突起の突起方向の両方向に対して垂直方向のガタを規制することができるので、より一層の接続信頼性、組み付け性の向上を図ることができる。
【００２５】
請求項３記載の発明によれば、係止手段が長手方向上に並んだ状態で互いに係止することにより、長手方向のガタを規制することができるので、より一層の接続信頼性、組み付け性の向上を図ることができる。
【００２６】
請求項４記載の発明によれば、長手方向全体に亘ってコネクタハウジングとハウジングカバーとのガタを防止することができるので、より一層の接続信頼性、組み付け性の向上を図ることができる。
【発明を実施するための最良の形態】
【００２７】
以下、本発明の実施形態を図面に基づいて説明する。図１は本発明のコネクタの一実施の形態を示す正面図である。図２（ａ）は図１に示すコネクタの斜示図であり、（ｂ）は図１に示すコネクタに嵌合する雄コネクタハウジング４０の斜示図である。図３は図１に示すコネクタのＩＩ−ＩＩ線断面図であり、図４は図１に示すコネクタのＩＩＩ−ＩＩＩ線断面図である。図５は図１に示すコネクタを構成する雌コネクタハウジング２０の斜示図であり、図６は図１に示すコネクタを構成する半嵌合検知部材３０の斜示図である。図７（ａ）は雌コネクタハウジング２０と雄コネクタハウジング４０とが半嵌合状態のときの部分断面図であり、（ｂ）は雌コネクタハウジング２０と雄コネクタハウジング４０とが完全嵌合状態のときの部分断面図である。図８（ａ）及び（ｂ）は他の実施形態におけるコネクタの部分正面図である。
【００２８】
同図に示すように、コネクタは、雌端子を収容する端子収容室２１１が設けられた雌コネクタハウジング２０（＝コネクタハウジング）と、雌コネクタハウジング２０を収容する半嵌合検知部材３０（＝ハウジングカバー）とを備えている。雌コネクタハウジング２０は、略箱型形状を成すハウジング本体２１を備えている。このハウジング本体２１に雌端子（図示せず）を収容保持する端子収容室２１１が形成されている。
【００２９】
また、雌コネクタハウジング２０は、端子収容室２１１に収容される雌端子と嵌合する雄端子（図示せず）を収容する雄コネクタハウジング４０が挿入される筒状のシュラウド２２を備えている。このシュラウド２２は、雌端子の長手方向Ｙ１先端側が開口され、長手方向Ｙ１後端側は後端壁２３ａによって塞がれている。なお、雌端子の長手方向Ｙ１先端側とは雄コネクタハウジング４０に近づく側であり、長手方向Ｙ１後端側とは雄コネクタハウジング４０に遠ざかる側である。
【００３０】
上述したハウジング本体２１とシュラウド２２とは、シュラウド２２内部がハウジング本体２１を収容し、かつハウジング本体２１の後端とシュラウド２２の後端壁２３ａとを連結するように一体形成されている。シュラウド２２の後端壁２３ａには端子挿入用突起２３ａ１が形成され、端子挿入用突起２３ａ１には、端子収容室２１１に連通する雌端子の挿入口が形成されている。
【００３１】
また、シュラウド２２は、その長手方向Ｙ１先端がハウジング本体２１の長手方向Ｙ１先端よりも先端側に位置するように設けられている。つまり、ハウジング本体２１全体がシュラウド２２内に収容されている。シュラウド２２には、図５に示すように、雌端子の長手方向Ｙ１先端から後端に亘って雄コネクタハウジング４０の外側面に設けた係止手段である係止突部４１（図２）が露出する切欠溝２２１が設けられている。
【００３２】
雄コネクタハウジング４０の係止突部４１は、図２（ｂ）に示すように、長手方向Ｙ１に沿った線状突起部４１１と、この線状突起部４１１の長手方向Ｙ１略中間に設けられ、長手方向Ｙ１後端に向かうに従って突起高さが低くなるテーパ４１２ａを有する突起爪４１２とから構成されている。
【００３３】
雌コネクタハウジング２０は図５に示すように、切欠溝２２１から露出する係止突部４１を係止するための可撓ロックアーム２３が一体形成されている。可撓ロックアーム２３は、シュラウド２２の後端に立設された一対の支柱部２３１（図４）から先端側に延びる一対のアーム部２３２を有している。この一対のアーム部２３２は、切欠溝２２１の溝幅方向Ｙ２に互いに離間している。
【００３４】
また、可撓ロックアーム２３は、上記一対のアーム部２３２先端同士を連結する連結部２３３と、この一対のアーム部２３２先端から支柱部２３１よりも後端側に延びる一対のアーム部２３４と、この一対のアーム部２３４後端同士を連結する連結部２３５と、一対のアーム部２３２、２３４及び連結部２３３、２３５に囲まれて形成された係止孔２３６とから構成されている。可撓ロックアーム２３は、支柱部２３１を支点として連結部２３３、２３５がシーソ式に変位可能なように構成されている。
【００３５】
上述した連結部２３３の先端側には、雄コネクタハウジング４０の線状突起部４１１に対応する位置に突起爪２３３ａが設けられている。この突起爪２３３ａの切欠溝２２１側の面には、線状突起部４１１が挿入される挿入溝２３３ａ１（図１）が長手方向Ｙ１に沿って設けられている。また、突起爪２３３ａの切欠溝２２１側は、先端に向かうに従って切欠溝２２１から離れるテーパ２３３ａ２が形成されている。
【００３６】
これにより雌コネクタハウジング２０のシュラウド２２内に雄コネクタハウジング４０を挿入したとき、雄コネクタハウジング４０の線状突起部４１１が突起爪２３３ａに引っかかることなくスムーズに挿入溝２３３ａ１内に挿入される。また、突起爪２３３ａは、長手方向Ｙ１先端側に向かうに従って厚みが薄く形成されている。
【００３７】
また、シュラウド２２の切欠溝２２１の両側を形成する面には、段差が設けられている。段差を設けることにより、シュラウド２２の切欠溝２２１の両側には、互いに対向する位置に一対の当接面２２２がシュラウド２２の長手方向Ｙ１先端から中間部に亘って設けられる。この一対の当接面２２２の長手方向Ｙ１後端には、先端に向かうに従って互いの距離が狭くなるテーパ２２２ａが設けられている。
【００３８】
また、シュラウド２２の切欠溝２２１両側の側面には各々、シュラウド２２の長手方向Ｙ１先端から後端に亘った一対の嵌合溝２２３と、シュラウド２２の長手方向Ｙ１先端から後端に亘って形成された一対の溝２２４と、この一対の溝２２４内に各々設けた一対の溝係止突起２２５とが形成されている。溝係止突起２２５の後端側は、後端に向かうに従って突起高さが低くなるテーパ２２５ａが設けられている。
【００３９】
次に、半嵌合検知部材３０の構成について説明する。同図に示すように、半嵌合検知部材３０の可撓ロックアーム２３と対向する面には、可撓ロックアーム２３の可撓方向Ｙ３と同一方向に可撓な可撓係止アーム３１が設けられている。可撓係止アーム３１には、図４に示すように、そのに切欠溝２２１に向かって突起する係止爪３１１が設けられている。
【００４０】
また、半嵌合検知部材３０の内側面には、上述した一対の当接面２２２と当接して、シュラウド２２が切欠溝２２１の溝幅が縮まる方向に変形するのを防止する正面視Ｌ字型の一対の矯正リブ３２（当接片、変形防止手段）と、シュラウド２２の外側面に設けた嵌合溝２２３と長手方向Ｙ１にスライド可能に嵌合される一対の嵌合突起３３と、溝係止突起２２５と係止する一対の係止突起３４とが設けられている。この係止突起３４の先端側には、先端に向かうに従って突起高さが低くなるテーパ３４ａが設けられている。
【００４１】
次に、半嵌合検知部材３０内に雌コネクタハウジング２０を挿入する際の各部の動きについて説明する。まず、半嵌合検知部材３０の先端側開口から雌コネクタハウジング２０の後端を挿入する。その後、雌コネクタハウジング２０を長手方向Ｙ１後端に向けて移動すると、嵌合突起３３先端が、嵌合溝２２３の後端開口に達して嵌合溝２２３内に嵌合される。
【００４２】
このとき、矯正リブ３２先端もテーパ２２２ａ後端に達して、一対の矯正リブ３２が一対のテーパ２２２ａ間に挿入される。シュラウド２２に内倒れ（切欠溝２２１の溝幅が縮まる方向の変形）が発生していると、一対の矯正リブ３２と一対の当接面２２２のテーパ２２２ａとが当接する。さらに雌コネクタハウジング２０の長手方向Ｙ１後端に向けての移動すると、一対の矯正リブ３２はテーパ２２２ａに沿って徐々に切欠溝２２１の溝幅を拡げて、一対の矯正リブ３２が一対の当接面２２２に達して当接すると正規の溝幅となるように矯正する。
【００４３】
またこのとき、係止突起３４先端も溝２２４後端開口に達して、係止突起３４が溝２２４内に挿入される。雌コネクタハウジング２０を長手方向Ｙ１後端に向けてさらに移動すると、係止突起３４が溝係止突起２２５に達し、互いのテーパ３４ａ、２２５ａに沿ってシュラウド２２の左右両側面が互いに近づく方向に撓む。
【００４４】
その後、図２及び図４に示すように、シュラウド２２先端が半嵌合検知部材３０の先端開口から突出する初期位置まで雌コネクタハウジング２０を挿入すると、係止突起３４が溝係止突起２２５よりも先端側の溝２２４に達して、シュラウド２２の左右両側面の撓みが復元する。これにより、溝係止突起２２５と係止突起３４とが長手方向Ｙ１上に並んだ状態で互いに係止し、雌コネクタハウジング２０を長手方向Ｙ１先端側に向かって引っ張っても、雌コネクタハウジング２０が初期位置から動かないようになっている。このことから明らかなように溝係止突起２２５及び係止突起３４が請求項中の係止手段に相当する。
【００４５】
また、雌コネクタハウジング２０が初期位置にあるとき、図４に示すように、可撓係止アーム３１の係止爪３１１と連結部２３３とが長手方向Ｙ１上に並んだ状態で係止して、雌コネクタハウジング２０を長手方向Ｙ１後端側に向かって押しても、雌コネクタハウジング２０が初期位置から動かないようになっている。このことから明らかなように係止爪３１及び連結部２３３が請求項中の係止手段に相当する。
【００４６】
上述したコネクタによれば、シュラウド２２の切欠溝２２１の両側には、互いに対向する位置に一対の当接面２２２が設けられ、半嵌合検知部材３０の矯正リブ３２が、一対の当接面２２２と当接して、切欠溝２２１の溝幅が縮まる方向に変形するのを防止している。従って、シュラウド２２の当接面２２２が半嵌合検知部材３０の矯正リブ３２に対して切欠溝２２１の溝幅が縮まる方向の力を加えるのに対して、半嵌合検知部材３０の矯正リブ３２がシュラウド２２に対して切欠溝２２１の溝幅が縮まらない、言い換えると拡げる方向の力を加える。
【００４７】
これにより、シュラウド２２の当接面２２２と半嵌合検知部材３０の矯正リブ３２との間に作用する力により雌コネクタハウジング２０と半嵌合検知部材３０との間のガタを抑えることができる。しかも、矯正リブ３２によって切欠溝２２１が縮まる方向にシュラウド２２が変形するのを防止するため、シュラウド２２とこれに挿入される雄コネクタハウジング４０が干渉し、嵌合作業が困難になることを防止し、接続信頼性、組み付け性の向上を図ることができる。
【００４８】
また、上述したコネクタによれば、一対の当接面２２２の長手方向Ｙ１後端には、先端に向かうに従って一対の当接面２２２間の距離が狭くなるテーパ２２２ａが設けられている。これによって、半嵌合検知部材３０の先端開口から雌コネクタハウジング２０の後端を挿入する際に半嵌合検知部材３０の矯正リブ３２がテーパ２２２ａによって当接面２２２に案内され、確実に一対の当接面２２２間に一対の矯正リブ３２を挿入して当接させることができる。
【００４９】
また、上述したコネクタによれば、シュラウド２２の外側面には嵌合溝２２３が設けられ、半嵌合検知部材３０内側面の内側面には、嵌合溝２２３と嵌合する嵌合突起３３が設けられる。これにより、嵌合溝２２３と嵌合突起３３とが嵌合することにより、長手方向Ｙ１及び嵌合突起３３の突起方向である溝幅方向Ｙ２の両方向に対して垂直な可撓方向Ｙ３のガタを規制することができる。
【００５０】
また、上述したコネクタによれば、シュラウド２２び半嵌合検知部材３０各々には、長手方向Ｙ１上に並んた状態で互いに係止する溝係止突起２２５、係止突起３４が設けられている。また、シュラウド２２及び半嵌合検知部材３０の各々には、長手方向Ｙ１上に並んだ状態で互いに係止する連結部２３３及び係止爪３１１が設けられている。従って、溝係止突起２２５と係止突起３４とが、連結部２３３と係止爪３１１とが互いに係止することにより、長手方向Ｙ１のガタを規制することができる。
【００５１】
また、上述したコネクタによれば、シュラウド２２は、ハウジング本体２１を収容しかつ、長手方向Ｙ１先端がハウジング本体２１の長手方向Ｙ１先端よりも先端側に位置するように設けられる。従って、図３からも明らかなように、従来に比べて半嵌合検知部材３０と雌コネクタハウジング２０との接触面積を増やすことができると共に、長手方向Ｙ１全体に亘って雌コネクタハウジング２０と半嵌合検知部材３０とのガタを防止することができる。
【００５２】
次に、雌コネクタハウジング２０と雄コネクタハウジング４０とを嵌合する際の各部の動きについて説明する。雄コネクタハウジング４０をシュラウド２２内に挿入し、線状突起部４１１の先端が突起爪２３３ａの先端に達すると、線状突起部４１１が突起爪２３３ａに形成された挿入溝２３３ａ１内に挿入され、よりスムーズに雄コネクタハウジング４０を長手方向Ｙ１に沿って挿入することができるようになる。
【００５３】
図７（ａ）に示すように、突起爪４１２先端が突起爪２３３ａに達すると、互いのテーパ４１２ａ、２３３ａ２に沿って突起爪４１２が徐々に可撓ロックアーム２３の連結部２３３を図面上方に押し上げて可撓ロックアーム２３と連結部２３３との係止をより強固にする。このような半嵌合状態では、雌コネクタハウジング２０は初期位置から動かないようになっている。
【００５４】
さらに、雄コネクタハウジング４０を挿入し、突起爪４１２の長手方向Ｙ１後端が係止爪３１１に達すると突起爪４１２が係止爪３１１を図面上方に押し上げる。その後、図７（ｂ）に示すように、突起爪４１２の先端側が連結部２３３の後端側に達する、言い換えると突起爪４１２が係止孔２３６内に挿入されると、可撓ロックアーム２３が復元し、可撓ロックアーム２３と突起爪４１２とが係止する完全嵌合状態となる。完全嵌合状態において、突起爪４１２は、可撓係止アーム３１の係止爪３１１を図面上方に押し上げ、可撓係止アーム３１と連結部２３３との係止を解除する。これにより、雌コネクタハウジング２０を半嵌合検知部材３０内の後端側に挿入することができる。
【００５５】
なお、上述した実施形態では、ハウジングカバーとして雌コネクタハウジング２０と雄コネクタハウジング４０との半嵌合を検知する半嵌合検知部材３０を用いていた。しかしながら、ハウジングカバーとしては、雌コネクタハウジング２０を収容するものであれば半嵌合を検知できるものでなくてもよい。
【００５６】
また、上述した実施形態では、切欠溝２２１からは雄コネクタハウジング４０の係止突部４１が露出していた。しかしながら、切欠溝２２１は、筒状のシュラウド２２に長手方向Ｙ１に沿って設けられていれば雄コネクタハウジング４０の係止突部４１を露出していなくてもよい。
【００５７】
また、上述した実施形態では、シュラウド２２の外側面に長手方向Ｙ１に沿った嵌合溝２２３が設けられ、半嵌合検知部材３０の内側面に嵌合溝２２３内に嵌合する嵌合突起３３を設けていた。しかしながら、本発明はこれに限ったものではなく、逆に半嵌合検知部材３０の内側面に長手方向Ｙ１に沿った嵌合溝を設け、シュラウド２２の外側面に嵌合溝と嵌合する嵌合突起を設けることも考えられる。
【００５８】
また、上述した実施形態では、雌ハウジングコネクタ２０において段差を設けることにより互いに対向する位置に一対の当接面２２２を設けていた。しかしながら、本発明はこれに限らず、例えば図８（ａ）に示すように、シュラウド２２の切欠溝２２１両側に溝を設けることにより、互いに対向する位置に一対の当接面２２２を設け、半嵌合検知部材３０の内側面にこの溝内に挿入される矯正リブ３２を設けることも考えられる。また、例えば図８（ｂ）に示すように、シュラウド２２の切欠溝２２１両側に突起を設けることにより、互いに対向する位置に一対の当接面２２２を設け、半嵌合検知部材３０の内側面にこの当接面と当接する矯正リブ３２を設けることも考えられる。
【００５９】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６０】
【図１】本発明のコネクタの一実施の形態を示す正面図である。
【図２】（ａ）は図１に示すコネクタの斜示図であり、（ｂ）は図１に示すコネクタに嵌合する雄コネクタハウジング４０の斜示図である。
【図３】図１に示すコネクタのＩＩ−ＩＩ線断面図である。
【図４】図１に示すコネクタのＩＩＩ−ＩＩＩ線断面図である。
【図５】図１に示すコネクタを構成する雌コネクタハウジング２０の斜示図である。
【図６】図１に示すコネクタを構成する半嵌合検知部材３０の斜示図である。
【図７】（ａ）は雌コネクタハウジング２０と雄コネクタハウジング４０とが半嵌合状態のときの部分断面図であり、（ｂ）は雌コネクタハウジング２０と雄コネクタハウジング４０とが完全嵌合状態のときの部分断面図である。
【図８】他の実施形態におけるコネクタの部分正面図である。
【図９】従来のコネクタを示す正面図である。
【図１０】図７に示すコネクタのＩ−Ｉ線断面図である。
【符号の説明】
【００６１】
２０      雌コネクタハウジング（コネクタハウジング）
２１      ハウジング本体
２２      シュラウド
３０      半嵌合検知部材（ハウジングカバー）
３２      矯正リブ（当接片、変形防止手段）
４０      雄コネクタハウジング（相手コネクタハウジング）
２１１    端子収容室
２２１    切欠溝
２２２    当接面
２２２ａ  テーパ
２２３    嵌合溝
２３３    連結部（係止手段）
２２５    溝係止突起（係止手段）
３１１    係止爪（係止手段）
３３      嵌合突起
３４      係止突起（係止手段）
Ｙ１      長手方向
【図１】
0004616152.tif 000002
【図２】
0004616152.tif 000003
【図３】
0004616152.tif 000004
【図４】
0004616152.tif 000005
【図５】
0004616152.tif 000006
【図６】
0004616152.tif 000007
【図７】
0004616152.tif 000008
【図８】
0004616152.tif 000009
【図９】
0004616152.tif 000010
【図１０】
0004616152.tif 000011